(57)【特許請求の範囲】
【請求項１】
開閉器ユニットを裏面に装着したケースと、カバーが、防水ゴムを挾持することにより構成される押釦開閉器において、Ｔ型の収納部に隣接する側部にＬ型の接続線を有する開閉器ユニットのＴ型の収納部内に装備される、インターロック機構に連接される可動接点部と相対応する固定接点部からなる正転操作部および逆転操作部と、前記正転操作部と前記逆転操作部を結ぶ中心線上で、中央位置直角方向に可動接点部と相対応する固定接点部からなるシフト操作部と、前記正転操作部と前記シフト操作部の同時押圧で構成する正転回路と、前記逆転操作部と前記シフト操作部の同時押圧で構成する逆転回路を有する正逆押釦開閉器。
【請求項２】
側端のケース内溝とカバーにより挾持される防水ゴムのケース内の防水ゴムを削除した部分にリングを設けたことを特徴とする請求項１記載の正逆押釦開閉器。
【請求項３】
複数のヨークを磁性体に挾持したもので、カバー裏面の室部に上下方向に移動可能に設定し、カバー表面の突部に隣接する複数の室部下部の溝から、前記ヨークを突出する構造を形成することを特徴とする請求項１記載の正逆押釦開閉器。
【発明の詳細な説明】
【０００１】
【産業上の利用分野】
本発明は、例えば上下リフトを作動する油圧装置の電磁ソレノイドを操作する押釦の、押し間違いによる誤動作をなくす構造を有する３点式で操作性の良い正逆押釦開閉器に関する。
【０００２】
【従来の技術】
一般的に２点式で正逆の機械的インタ−ロック付の押釦開閉器は、機械的インタ−ロックで同時に、２点の押釦を押すことは構造的にできないが、安全性を重要視する場合には、上記２点の正逆の押釦の各一点ともう一つ操作釦を押さないと動作しない構造が必要となるが、非常にコンパクトで操作性の良い正逆押釦開閉器は提案されていない。
【０００３】
また上記構造に類似したペンダントスイッチは、屋外で使用する際、ブッシングの防水構造に以下のような問題点があった。図１８において、１はペンダントスイッチの開閉器ユニットを収納するカバ−、２は同様にペンダントスイッチの開閉器ユニットを蓋面するケ−スで、３はブッシング５を側面から、ビス等で押圧するブッシング押えで、ブッシング押え３の一部に孔のある吊り下げ部４を設けてある。
【０００４】
この場合、水の外部から入るル−トが矢印に示すように、ブッシング５の内部の空間を伝わる場合、ブッシング押え３とカバ−１の隙間を伝わる場合、ブッシング押え３とケ−ス２の隙間を伝わる場合、そしてブッシング押え３とブッシング５の隙間を伝わる場合の４通りがあり、しかも相互の部品の組立構造も複雑で、吊り下げ部も一方向しかなく、作業性、防水の両面から考えて必ずしも満足できるものと言えなかった。
【０００５】
他に付近の作業面に、一時的に押釦開閉器を固定できる機能がないので、一人で、いくつもの作業をこなす場合、作業性の点で問題があった。
【０００６】
【発明が解決しようとする課題】
防水構造もより改善した形で、本体の吊り下げ部を２箇所設け、固定面が磁気的に吸着可能なら、固定可能な、釦の押し間違いによる誤動作のないコンパクトな３点式で操作性の良い正逆押釦開閉器の構造を考える。
【０００７】
【課題を解決するための手段】
本発明は、正転操作部、逆転操作部、誤動作防止のため前記どちらかの操作部と同一に押されるシフト操作部を操作面に対して、くの字型になるようにし、正転操作部と逆転操作部はインターロック板により同時投入できない構造としており、開閉器ユニットのＴ型の収納部内に装備される、インターロック機構に連接される正転操作部と逆転操作部を結ぶ中心線上で、中央位置直角方向にシフト操作部を設け、かつ正転操作部および逆転操作部の一方向の接点部を第１の接続帯で接続し、かつ第１の接続帯とシフト操作部の一方向の接点部を第２の接続帯で直角に接続した。
【０００８】
ブッシングの防水構造は、カバ−下部に吊り下げ部を設け、ケ−ス内部側端に突起部を設け、カバ−とケ−スの内部側壁でブッシングを係止する構造とし、前記カバ−下部の吊り下げ部と反対方向のケ−ス側端に吊り下げ用のリング取付用の空間部を設け、必要なときは、該空間部に防水ゴムを挾持し、必要でないときは防水ゴムを削除して前記リングを取付けるようにした。
【０００９】
磁気的に吸着可能な面への吸着構造は、磁気を帯びた磁石の両面に２枚のヨ−クを磁気的に吸着することにより、磁気回路を構成した吸着装置で、カバ−裏側に設けた２つの溝部から前記２枚のヨ−クを突出することにより、磁気的に吸着可能な面であるなら吸着可能とした。
【００１０】
【発明の作用】
誤動作を防止するシフト操作部と機械的インタ−ロックにより結合する正転操作部と逆転操作部を操作性および外部配線が極めて容易な配置とし、防水構造も、吊り下げ部も考慮した形で、改善され、しかも正逆押釦開閉器のカバ−裏側に磁気的に吸着可能な磁石とヨ−クで磁気回路を構成することにより、極めて作業性も良い正逆押釦開閉器が得られる。
【００１１】
【実施例】
押釦の押し間違いによる誤動作をなくす構造の３点式で操作性の良い正逆押釦開閉器は、正転押釦と逆転押釦をシフト押釦との兼ね合いで、コンパクトな形とするためには、図１に示すような３点の押釦を相接近する配置とした。以下押釦配置関係の説明を行なう。
【００１２】
図１、図８において、１１は正転操作部、１２は逆転操作部、１３は誤動作防止のため、前記正転操作部１１、または逆転操作部１２と同時に押されるシフト操作部である。いずれも防水を兼ねるため、１枚のメンブレンスイッチ１４で構成されてあり、本発明の正逆押釦開閉器の操作面であるケ−ス１５の操作部が突出する孔部に設置する。いずれも各操作部の位置が、操作性を考えて、ケ−ス１５の操作面上で、くの字型となるようにしてある。なお、本発明の正逆押釦開閉器はブッシング４１をケ−ス１５とカバ−５５と防水ゴムで挾持する構造になっている。
【００１３】
図２において、開閉器類を覆う開閉器ユニットのカバ−５２と、カバ−５２の３つの孔部に、前記正転操作部１１、逆転操作部１２、シフト操作部１３に対応して、可動接点部を組込む可動タ−ミナル部と一体となる押釦は、それぞれ正転押釦１６、逆転押釦１７、シフト押釦１８である。
【００１４】
図３、図４、図５の開閉器ユニットにおいて、開閉器類の配置構成について記述する。開閉器ユニットの開閉器類を収納するベ−ス１９の溝状の収納部に正転押釦１６、逆転押釦１７を、正転押釦１６と逆転押釦１７の同時投入を防止するインタ−ロック板２０を、正転押釦１６と一体形成する可動タ−ミナル部２１にツイン接点形式の可動接点部２６、２６を、可動タ−ミナル部２１の窓部内部の、ばね圧により固定し、ベ−ス１９の下部の、ばね２４の反力により、上下方向に移動し、ベ−ス１９の溝部に配設された固定接点部２８、２９を開閉する。同様に逆転押釦１７と一体形成する可動タ−ミナル部２２に、ツイン接点形式の可動接点部２６、２６を可動タ−ミナル部２２の、窓部内部の、ばね圧により固定し、ベ−ス１９の下部の、ばね２５の反力により、上下方向に移動し、ベ−ス１９の溝部に配設された固定接点部３０、３１を開閉する。
【００１５】
更に、インタ−ロック板２０とインタ−ロック構造で、連動する正転押釦１６と逆転押釦１７を結ぶ中心線上で、中央線位置の９０度の方向に、シフト押釦１８と一体形成する可動タ−ミナル部２３に可動接点部３２、３２を、可動タ−ミナル部２３の窓部内部の、ばね圧により固定し、ベ−ス１９の下部の、ばね３３の反力により、上下方向に移動し、ベ−ス１９の溝部に配設された固定接点部３５、３６を開閉する。
【００１６】
正転押釦、逆転押釦、シフト押釦、インターロック板等を収納するベース１９のＴ型の溝部に隣接する側部に、上記押釦に対応する固定接点部を配置したため、図７の内部接続図の、わたり線１−４、１−５は図６に示すように、形状が直線状となり、全体としてＬ型の接続線を有し、極めて簡単なため、製造コストも低減できる。
【００１７】
次に実際に本発明の正逆押釦開閉器を操作した場合の説明をする。正転動作では、正転操作部１１とシフト操作部１３を同時に押すことになるが、図７では１−２と５−６を同時に押すことを意味する。開閉器類の動作は、正転押釦１６を押すことになり、正転押釦１６側の可動接点部２６、２６は、ベ−ス１９の溝部に配設された固定接点部２８、２９を閉路する。逆転押釦１７は、その場合インタ−ロック板２０のインタ−ロック作用により、開路状態となる。シフト操作部１３を正転操作部１１と同時に押すと、シフト押釦１８側の可動接点部３２、３２は、ベ−ス部１９の溝部に配設された固定接点部３５、３６を閉路する。逆転動作の場合も、同様の方法で動作する。
【００１８】
更に開閉器ユニットのカバ−５２裏面に、固定接点部をタ−ミナル部へ、容易に手作業で従来と変わらない密着度で装着できる構造について記述する。カバ−５２裏面に、固定接点取付側のタ−ミナル部に図４に示すように、傾斜面を有する円形状の突起部３４を、開閉器ユニットのベ−ス１９側面から固定接点部を挿入しやすくするため、実施例では、各釦部に２点ずつ、正転押釦、逆転押釦、シフト押釦の３つの釦で計６箇所、固定接点部固定用として設ける。
【００１９】
前記突起部３４に対して、側面から固定接点部を挿入しやすくするため、固定接点部の形状を工夫した。例えば図１３の固定接点部２８について説明すると、２８ａは固定接点、２８ｂはタップ穴で円ボス加工を施している。２８ｃはコの字型に構成したａ接点用の固定接点部２８のタップ穴２８ｂに対向上に設けた前記突起部３４に固定するための丸孔である。
【００２０】
３５はｂ接点用の固定接点部で、３５ａは固定接点、３５ｃはタップ穴で円ボス加工を施してある。３５ｂはコの字型に構成したｂ接点用の固定接点部３５のタップ穴３５ｃの対向上に設けた前記突起部３４に固定するための丸穴である。
【００２１】
固定接点部２８または固定接点部３５を可動接点部や押釦部やインタ−ロック板を組み込んである、カバ−５２を装着してある、ベ−ス１９の溝状の収納部に側面方向からタップ穴をベ−ス１９の外側にして、手作業で側面から挿入する。この場合、コの字型に構成してある固定接点部２８または固定接点部３５は、ベ−ス１９の溝状の収納部へ緩く挿入できるようになっているが、前記カバ−５２の突起部３４の傾斜面をスライドして、丸穴２８ｃ、丸孔３５ｂへ係止され固定接点部２８および固定接点部３５が固定される。
【００２２】
従来は、端子のタ−ミナル部への▲かん▼合を実施例の端子のコの字型により構成する部分を狭め、エアシリンダ−により、圧入して行なっていたのが、上記の構造により、簡単に手作業で組込まれようになった。
【００２３】
次に防水構造を考慮し、更に組立性のよい、吊り下げ構造を提案する。従来例で押釦開閉器本体へ、水の外部から入るル−トが図１８の矢印に示すように４通りあるのを３通りに減じた構造について説明をする。図８のカバ−５５とケ−ス１５の構造において、カバ−５５下部に孔のある吊り下げ部３７とカバ−５５を一体構造とし、ケ−ス１５の内部側端の上部に凹部からなる固定場所３８を設ける。４３ｂはケ−ス１５とカバ−５５に防水、および防塵効果をもたせる防水ゴムである。固定場所３８の隣接する箇所に外部電線を固定する止め金具を設置する壁部４０を設ける。
【００２４】
上側端に凸部３８ａを有し、下部に凸部３９を有するブッシング４１はケ−ス１５とカバ−５５の側端から押込み、凸部３８ａ凸部３９でブッシング４１の凸凹の圧により防水構造が成り立つ。水の外部から入るル−トは図８の矢印に示すように、ブッシング４１内部を伝わる場合、ブッシング４１とケ−ス１５の隙間を伝わる場合、ブッシング４１とカバ−５５の隙間を伝わる場合の３通りに減じることができる。上記のようにカバ−５５下部に孔のある吊り下げ部３７を一体構造とすることにより、組立性も防水性も向上した吊り下げ構造が得られる。
【００２５】
なお本発明の正逆押釦開閉器の吊り下げ構造で、２方向どちらでも吊り下げる構造を考えたとき、前記吊り下げ部３７と反対方向の側端に、必要なときに環状のリング４２を設けられる構造を提案する。
【００２６】
リング４２無しの場合は、図１０のように一体構造の防水ゴム４３ａ、４３ｂが側部のケ−ス１５の空間部とカバ−５５間の空間部に挾持されているが、リング４２取付の際は、図１１、図１２のように一体構造の防水ゴム４３ａ、４３ｂの防水ゴム４３ａをハサミ等で取除いて、取除いた部分のケ−ス１５のモ−ルド部の空間部を利用してリング４２を固定する構造とする。
【００２７】
第３に作業面が磁気的に吸着可能なら垂直面や天井面に磁気的に設置可能な構造を説明する。図８、図９、図１６、図１７において、カバ−５５の下部に壁４４を有する溝４５、４５を設けた室４６を形成し、溝４５、４５の隣接部にカバ−５５と一体構造の細長状の突部４７を設ける。
【００２８】
図１５において、磁気を帯びた磁石４８にヨ−ク５４、５４を磁力により一体形成したものを示したが、この形成体を図１６、図１７に示すように上記室４６にカバ−５５の上側から落とし込み、ゴム製の蓋４９により固定する。
【００２９】
図１６は、磁気的に吸着可能な金属体５０に磁石４８、ヨ−ク５４、５４の形成体により吸着する状態を示したもので、突部４７は金属体５０から浮いた状態となっている。図１７は、磁気的に吸着可能な金属体以外のもの５１に設置した状態を示す図で、磁石４８、ヨ−ク５４、５４の形成体と突部４７は同一面に設置されている。以上のように極めて簡単な構成の磁気回路により、磁気的に吸着可能な金属体であれば吸着することができる。
【００３０】
従って、操作性、防水性、作業面において、従来より優れた正逆押釦開閉器が得られる。
【００３１】
【発明の効果】
正転押釦、逆転押釦、誤動作を防止するシフト押釦の操作性を考えて、合理的に配置ができる構造で、外部電線接続用の端子をタ−ミナル部へ、容易に従来と変わらない密着度で▲かん▼合できる構造が得られ、しかもブッシングの防水構造を吊り下げ部を兼ねたケ−ス、カバ−構造を組立性を配慮し、しかも別方向にもリングによる吊り下げ部を設けることができる構造とし、磁気的に吸着できる金属体なら確実に固定できる正逆押釦開閉器が得られる。
【図面の簡単な説明】
【図１】本発明の正逆押釦開閉器の正面図
【図２】本発明の正逆押釦開閉器の開閉器ユニットの正面図
【図３】本発明の正逆押釦開閉器の開閉器ユニットの機構部の正面図
【図４】本発明の正逆押釦開閉器の開閉器ユニットのＡ−Ａ断面図
【図５】本発明の正逆押釦開閉器の開閉器ユニットのＢ−Ｂ断面図
【図６】本発明の正逆押釦開閉器の開閉器ユニットの背面図
【図７】本発明の正逆押釦開閉器の内部接続図
【図８】本発明の正逆押釦開閉器の底面断面図
【図９】本発明の正逆押釦開閉器の背面図
【図１０】本発明の正逆押釦開閉器の右側面図
【図１１】本発明の正逆押釦開閉器にリングを取付けた部分底面図
【図１２】本発明の正逆押釦開閉器にリングを取付けた部分正面図
【図１３】本発明の正逆押釦開閉器のａ接点用の固定接点の斜視図
【図１４】本発明の正逆押釦開閉器のｂ接点用の固定接点の斜視図
【図１５】磁気を帯びた磁石とヨ−クが一体形成した図
【図１６】金属体に磁気を帯びた磁石にヨ−クが一体形成したものが吸着している図
【図１７】金属体以外のものに磁気を帯びた磁石にヨ−クが一体形成したものが設置している図
【図１８】従来のカバ−、ケ−スからなる押釦開閉器にブッシングを吊り下げ部からなるブッシング押えで装着したことを示す底面断面図
【符号の説明】
１        カバ−
２        ケ−ス
３        ブッシング押え
４        吊り下げ部
５        ブッシング
１１        正転操作部
１２        逆転操作部
１３        シフト操作部
１４        メンブレンスイッチ
１５        ケ−ス
１６        正転押釦
１７        逆転押釦
１８        シフト押釦
１９        ベ−ス
２０        インタ−ロック板
２１        可動タ−ミナル部
２２        可動タ−ミナル部
２３        可動タ−ミナル部
２４        ばね
２５        ばね
２６        可動接点部
２７        可動接点部
２８        固定接点部
２８ａ    固定接点
２８ｂ    タップ穴
２８ｃ    丸穴
２９        固定接点部
３０        固定接点部
３１        固定接点部
３２        可動接点部
３３        ばね
３４        突起部
３５        固定接点部
３５ａ    固定接点
３５ｂ    丸穴
３５ｃ    タップ穴
３６        固定接点部
３７        吊り下げ部
３８        固定場所
３８ａ  凸部
３９        凸部
４０        壁部
４１        ブッシング
４２        リング
４３ａ    防水ゴム
４３ｂ    防水ゴム
４４        壁
４５        溝
４６        室
４７        突部
４８        磁石
４９        蓋
５０        磁気的に吸着可能な金属体
５１        磁気的に吸着可能な金属体以外のもの
５２        カバ−
５３        開閉器ユニット
５４        ヨ−ク
５５        カバ−
【図１】
0003625606.tif 000002
【図２】
0003625606.tif 000003
【図３】
0003625606.tif 000004
【図４】
0003625606.tif 000005
【図５】
0003625606.tif 000006
【図６】
0003625606.tif 000007
【図７】
0003625606.tif 000008
【図８】
0003625606.tif 000009
【図９】
0003625606.tif 000010
【図１０】
0003625606.tif 000011
【図１１】
0003625606.tif 000012
【図１２】
0003625606.tif 000013
【図１３】
0003625606.tif 000014
【図１４】
0003625606.tif 000015
【図１５】
0003625606.tif 000016
【図１６】
0003625606.tif 000017
【図１７】
0003625606.tif 000018
【図１８】
0003625606.tif 000019